(57)【要約】【課題】  靴踵を交換する際、廃棄部材を無駄なく摩耗させた後の廃棄、交換が可能であるため長期間の使用、廃棄物の削減に効果的で交換の容易な靴踵を提供する。【解決手段】  ドーナツ盤形状の交換用靴踵１の靴踵上層部２と接する面には、磁石に反応する金属部材５を装着し、靴踵上層部２の交換用靴踵１と接する面には、強力な磁石部材６を埋め込み、互いが反応し、くっつくようにする。そして靴踵上層部２に突設された固定補助材３にはめ合わせる。更に靴踵下層部７に残された空間を埋める靴踵補助材８を突設する。固定補助材３付近の靴踵上層部に突起９を設け、交換用靴踵１の回動を防止した靴踵。【選択図】図１
2014151178.tif 000002
【特許請求の範囲】
【請求項１】
ドーナツ盤形状の交換用靴踵１の靴踵上層部２と接する面には、磁石に反応する金属部材５を装着し、靴踵上層部２の交換用靴踵１と接する面には、強力な磁石部材６を埋め込み、互いが反応し、くっつくようにする。そして靴踵上層部２に突設された固定補助材３にはめ合わせる。更に靴踵下層部７に残された空間を埋める靴踵補助材８を突設する。固定補助材３付近の靴踵上層部に突起９を設け、交換用靴踵１の回動を防止した靴踵。
【発明の詳細な説明】
【技術分野】
【０００１】  本発明は、交換が容易なドーナツ盤形状の靴踵を有するヒール構造に関する。
【背景技術】
【０００２】  従来の靴踵は様々な形があったが、大半は地面に接している層を交換出来る二層式で構成されている。靴踵の交換は取り外した靴踵より一回り大きな新しい靴踵を用意し、接着剤による固定後、切削して形を整える方法が主流である。【０００３】  しかしながら、従来の靴踵は交換時期を迎えた際、摩耗部分が少なく、そのまま廃棄するのは経済的ではなかった。そして交換時期を迎えるまでの使用期間の短さにも繋がっていた。更に交換には特別な道具や技術を必要とするため、靴の修理業者に依頼し靴踵を交換する方法が一般的で、手間がかかるという欠点があった。【０００４】  上記の欠点を解決するため、手軽に交換出来る軸を設けた靴踵や、更に四方向で使用出来る円柱形の靴踵などがあった。
【先行技術文献】
【特許文献】
【特許文献１】  特開平１０−０８５００６号公報
【特許文献２】  特開２０１３−０００５５５号公報
【発明の概要】
【発明が解決しようとする課題】
【０００５】  従来の軸を設けた靴踵の場合、交換は手軽だが、軸を設けている靴踵の中心部は比較的摩耗の少ない部分であり、軸と一緒に廃棄せざるを得ないため経済的ではない。また製造コストも高くなってしまう可能性がある。更に軸がある分、梱包が大きくなり運送コストの面においても不利である。【０００６】  四方向で使用出来る円柱形の靴踵では、摩耗が進むにつれ安定感が失われてしまう。そして一般的な形状の靴踵に比べ、靴の外観上ヒールが占める割合が減り、見た目のバランスが限定されてしまう。また接着剤による固定ではないので歩行時、段差に引っかけやすい、靴踵のつま先方向に面する部分にも配慮が必要であった。更に靴踵内部の複雑な構造により、一定以上の高さが必要だった。【０００７】  本発明は、以上のような欠点をなくすためになされたものである。
【課題を解決するための手段】
【０００８】  ドーナツ盤形状の交換用靴踵１を、靴踵上層部２に突設された固定補助材３にはめ合わせる。固定補助材３は接着剤、固定具４ａなどにより固定する。交換用靴踵１の靴踵上層部２と接する面には、磁石に反応する金属部材５を装着し、靴踵上層部２の交換用靴踵１と接する面には、強力な磁石部材６を埋め込み、互いが反応し、くっつくようにする。そして靴踵下層部７に残された空間を埋める靴踵補助材８を接着剤、固定具４ｂなどにより固定する。固定補助材３付近の靴踵上層部に突起９を設け、交換用靴踵１の回動を防止した靴踵。
【発明の効果】
【０００９】  交換用靴踵１をドーナツ盤形状にする事により、使用に関して摩耗しやすい部分だけを効率的に交換できる。また、使用方向を限定しない構造なので満遍なく摩耗した後の廃棄が可能である。すなわち、交換用靴踵１の廃棄時と新品のものと比べ、従来のものより体積の差が大きくゴミの削減に繋がり環境に良い。これは、より長く使用出来ることでもあり、経済的である。更に交換用靴踵に軸がないため、生産コストの削減、運送時の省スペースにつながり、結果、より低価格で提供できる可能性がある。【００１０】  固定補助材３の役割として、交換用靴踵１の固定を補助する他に、回動を防止する突起９が危険でないよう障害物となり、安全圏をつくることがある。【００１１】  靴踵補助材８の役割として、段差に靴踵を引っ掛けた際に分離して外れてしまわないよう保護することがある。そして交換用靴踵１の摩耗が進んでも、安定感を保つことができる。更に靴の外観上、ヒールの占める割合を自由に設定でき、デザインの汎用性が高い。【００１２】  固定補助材３と靴踵補助材８は摩耗しにくい部分だが、交換も可能である。【００１３】  そして本発明の構造は、埋め込まれた磁石部材６と突起９以外、ほぼ靴踵下層部７で完結しているため、靴の修理業者に依頼すれば外観の大幅な変更も無く、通常の修理も可能である。その逆に、通常の構造の靴を本発明と同等の機能を持たせる事も、靴の修理業者が所持している道具で加工可能である。更に踵の低い靴にも本発明は適用できる。【００１４】  交換用靴踵１の回動を防止する突起９は歩行の際に体重をかける度、交換用靴踵１にしっかり刺さる仕組みで回動防止装置としては従来のものに比べシンプルなため、製造、靴踵の交換に手間がかからない。
【図面の簡単な説明】
【００１５】
【図１】  本発明の分解斜視図および、ドーナツ盤形状の靴踵における部分断面図
【図２】  本発明の実施形態を示す斜視図
【図３】    ドーナツ盤形状の靴踵における金属部材５の装着面斜視図
【図４】  本発明の図２におけるＡ−Ａ線断面図
【発明を実施するための形態】
【００１６】  ドーナツ盤形状の交換用靴踵１を、靴踵上層部２に突設された固定補助材３にはめ合わせる。交換用靴踵１の素材は弾性復元力をもつ合成ゴムや、可塑性のあるタンニン鞣しの革などが適している。
【００１７】  固定補助材３の側面と靴踵補助材８の交換用靴踵１と接する側面には摩擦、抵抗が大きくなる様に小さな凹凸を設けると交換用靴踵１を固定する力が強くなる。固定補助材３と靴踵補助材８の素材は合成ゴム、タンニン鞣しの革の他に摩耗に強い鉄等の金属も適している。固定補助材３は接着剤、固定具４ａなどにより固定する。
【００１８】  交換用靴踵１の靴踵上層部２と接する面には、磁石に反応する金属部材５を装着し、靴踵上層部２の交換用靴踵１と接する面には、強力な磁石部材６を埋め込み、互いが反応して、くっつくようにする。交換用靴踵１に金属部材５を装着する方法は溶着、接着など素材に合わせ最適なものを選択する。
【００１９】  そして靴踵下層部７に残された空間を埋める靴踵補助材８を接着剤、固定具４ｂなどにより固定する。またウェッジソールに本発明を適用する場合、交換用靴踵１とソールが同じ層になる様に設置するため、ソールが靴踵補助材８の役割を果たすことで、例外として靴踵補助材８は必要ないものとする。
【００２０】  交換用靴踵１の回動を防止する目的で、固定補助材３付近の靴踵上層部に突起９を設ける。安全のため、突起９は体重をかけた際、交換用靴踵１に刺さる程度に丸みをつける。
【００２１】  本発明は、以上の様な構造からなる靴踵である。交換用靴踵１の摩耗が進んだら、起こすようにして取り外し、摩耗していない部分を摩耗が進んでいた方向に向け装着する。靴を履き体重がかかることで突起９が交換用靴踵１に刺さり交換は完了である。
【符号の説明】
【００２２】  １  交換用靴踵
２  靴踵上層部
３  固定補助材
４ａ  固定具
４ｂ  固定具
５  金属部材
６  磁石部材
７  靴踵下層部
８  靴踵補助材
９  突起
【図１】
2014151178.tif 000003
【図２】
2014151178.tif 000004
【図３】
2014151178.tif 000005
【図４】
2014151178.tif 000006